(57)【特許請求の範囲】
【請求項１】
閲覧対象の文書をブロック化し、ブロック毎に選択可能な全体情報と、前記全体情報のうちの選択されたブロックに対応する部分の前記閲覧対象の文書の各情報であり、情報毎に選択可能な詳細情報とのいずれかを第１の表示領域に表示する制御を行い、
前記全体情報を前記第１の表示領域に表示している場合には、前記詳細情報を第２の表示領域に表示し、前記詳細情報を前記第１の表示領域に表示している場合には、前記詳細情報のうちの選択されている情報にリンクされている文書の全体画像を前記第２の表示領域に表示する制御を行い、
前記詳細情報を前記第２の表示領域に表示しており、前記第２の表示領域がアクティブな状態で、第１の指示手段による指示を受けると、前記詳細情報を前記第１の表示領域に表示し、前記詳細情報のうちの選択されている情報にリンクされている文書の全体画像を前記第２の表示領域に表示する制御を行い、
前記詳細情報を前記第１の表示領域に表示しており、前記第１の表示領域がアクティブな状態で、第２の指示手段による指示を受けると、前記詳細情報を前記第２の表示領域に表示し、前記詳細情報に対応する全体情報を前記第１の表示領域に表示する制御を行う
表示制御手段を有する情報処理装置。
【請求項２】
前記表示制御手段は、
前記第１の表示領域がアクティブな状態で、前記第１の指示手段による指示を受けると、前記第２の表示領域をアクティブにし、
前記第２の表示領域がアクティブな状態で、前記第２の指示手段による指示を受けると、前記第１の表示領域をアクティブにする
ことを特徴とする請求項１に記載の情報処理装置。
【請求項３】
前記第１の指示手段及び前記第２の指示手段が方向キーであることを特徴とする請求項１又は請求項２に記載の情報処理装置。
【請求項４】
前記表示制御手段は、アクティブな状態の前記第１の表示領域に表示されている全体情報の各ブロック又は前記詳細情報の各情報、又は、アクティブな状態の前記第２の表示領域に表示されている前記詳細情報の各情報を、第３の指示手段又は第４の指示手段の指示により選択する制御を行う
ことを特徴とする請求項１又は請求項２に記載の情報処理装置。
【請求項５】
前記表示制御手段は、前記第１の表示領域における、前記第３又は前記第４の指示手段の指示によるブロック又は情報の選択に連動させて、前記選択されたブロックに対応する詳細情報、又は、前記選択された情報に対応する文書の全体画像を、前記第２の表示領域に表示する制御を行う
ことを特徴とする請求項４に記載の情報処理装置。
【請求項６】
前記第３の指示手段及び前記第４の指示手段が方向キーであることを特徴とする請求項４又は請求項５に記載の情報処理装置。
【請求項７】
閲覧対象の文書情報が構造化文書であることを特徴とする請求項１から請求項６のいずれかに記載の情報処理装置。
【請求項８】
閲覧対象の文書をブロック化し、ブロック毎に選択可能な全体情報を生成する手段と、
前記全体情報のうちの選択されたブロックに対応する部分の前記閲覧対象の文書の各情報であり、情報毎に選択可能な詳細情報を生成する手段と、
前記詳細情報のうちの選択されている情報にリンクされている文書の全体画像を生成する手段と、
前記全体情報を表示手段の第１の表示領域に表示し、前記詳細情報を前記表示手段の第２の表示領域に表示する制御と、前記詳細情報を前記第１の表示領域に表示し、前記文書の全体画像を前記第２の表示領域に表示する制御とのいずれかを行い、
前記全体情報を前記第１の表示領域に表示し、前記詳細情報を前記第２の表示領域に表示しており、前記第２の表示領域がアクティブな状態で、第１の指示手段による指示を受けると、前記詳細情報を前記第１の表示領域に表示し、前記文書の全体画像を前記第２の表示領域に表示する制御を行い、
前記詳細情報を前記第１の表示領域に表示しており、前記文書の全体画像を前記第２の表示領域に表示しており、前記第１の表示領域がアクティブな状態で、第２の指示手段による指示を受けると、前記詳細情報を前記第２の表示領域に表示し、前記詳細情報に対応する全体情報を前記第１の表示領域に表示する制御を行う
表示制御手段と
を有する情報処理装置。
【請求項９】
前記表示制御手段は、
前記第１の表示領域がアクティブな状態で、前記第１の指示手段による指示を受けると、前記第２の表示領域をアクティブにし、
前記第２の表示領域がアクティブな状態で、前記第２の指示手段による指示を受けると、前記第１の表示領域をアクティブにする
ことを特徴とする請求項８に記載の情報処理装置。
【請求項１０】
前記第１の指示手段及び前記第２の指示手段が方向キーであることを特徴とする請求項８又は請求項９に記載の情報処理装置。
【請求項１１】
前記表示制御手段は、アクティブな状態の前記第１の表示領域に表示されている全体情報の各ブロック又は前記詳細情報の各情報、又は、アクティブな状態の前記第２の表示領域に表示されている前記詳細情報の各情報を、第３の指示手段又は第４の指示手段の指示により選択する制御を行う
ことを特徴とする請求項８又は請求項９に記載の情報処理装置。
【請求項１２】
前記表示制御手段は、前記第１の表示領域における、前記第３又は前記第４の指示手段の指示によるブロック又は情報の選択に連動させて、前記選択されたブロックに対応する詳細情報、又は、前記選択された情報に対応する文書の全体画像を、前記第２の表示領域に表示する制御を行う
ことを特徴とする請求項１１に記載の情報処理装置。
【請求項１３】
前記第３の指示手段及び前記第４の指示手段が方向キーであることを特徴とする請求項１１又は請求項１２に記載の情報処理装置。
【請求項１４】
閲覧対象の文書情報が構造化文書であることを特徴とする請求項８から請求項１３のいずれかに記載の情報処理装置。
【請求項１５】
第１の指示手段と、
第２の指示手段と、
表示手段と、
閲覧対象の文書をブロック化し、ブロック毎に選択可能な全体情報を生成する手段と、
前記全体情報のうちの選択されたブロックに対応する部分の前記閲覧対象の文書の各情報であり、情報毎に選択可能な詳細情報を生成する手段と、
前記詳細情報のうちの選択されている情報にリンクされている文書の全体画像を生成する手段と、
前記全体情報を前記表示手段の第１の表示領域に表示し、前記詳細情報を前記表示手段の第２の表示領域に表示する制御と、前記詳細情報を前記第１の表示領域に表示し、前記文書の全体画像を前記第２の表示領域に表示する制御とのいずれかを行い、
前記全体情報を前記第１の表示領域に表示し、前記詳細情報を前記第２の表示領域に表示しており、前記第２の表示領域がアクティブな状態で、前記第１の指示手段による指示を受けると、前記詳細情報を前記第１の表示領域に表示し、前記文書の全体画像を前記第２の表示領域に表示する制御を行い、
前記詳細情報を前記第１の表示領域に表示しており、前記文書の全体画像を前記第２の表示領域に表示しており、前記第１の表示領域がアクティブな状態で、前記第２の指示手段による指示を受けると、前記詳細情報を前記第２の表示領域に表示し、前記詳細情報に対応する全体情報を前記第１の表示領域に表示する制御を行う
表示制御手段と
を有することを特徴とする閲覧システム。
【請求項１６】
前記表示制御手段は、
前記第１の表示領域がアクティブな状態で、前記第１の指示手段による指示を受けると、前記第２の表示領域をアクティブにし、
前記第２の表示領域がアクティブな状態で、前記第２の指示手段による指示を受けると、前記第１の表示領域をアクティブにする
ことを特徴とする請求項１５に記載の閲覧システム。
【請求項１７】
前記第１の指示手段及び前記第２の指示手段が方向キーであることを特徴とする請求項１５又は請求項１６に記載の閲覧システム。
【請求項１８】
第３の指示手段と、第４の指示手段とを有し、
前記表示制御手段は、アクティブな状態の前記第１の表示領域に表示されている全体情報の各ブロック又は前記詳細情報の各情報、又は、アクティブな状態の前記第２の表示領域に表示されている前記詳細情報の各情報を、前記第３の指示手段又は前記第４の指示手段の指示により選択する
ことを特徴とする請求項１５又は請求項１６に記載の閲覧システム。
【請求項１９】
前記表示制御手段は、
前記第１の表示領域における、前記第３又は前記第４の指示手段の指示によるブロック又は情報の選択に連動させて、前記選択されたブロックに対応する詳細情報、又は、前記選択された情報に対応する文書の全体画像を、前記第２の表示領域に表示する
ことを特徴とする請求項１８に記載の閲覧システム。
【請求項２０】
前記第３の指示手段及び前記第４の指示手段が方向キーであることを特徴とする請求項１８又は請求項１９に記載の閲覧システム。
【請求項２１】
閲覧対象の文書情報が構造化文書であることを特徴とする請求項１５から請求項２０のいずれかに記載の閲覧システム。
【請求項２２】
第１の指示手段と、
第２の指示手段と、
閲覧対象の文書がブロック化され、ブロック毎に選択可能な全体情報が第１の表示領域に表示され、前記全体情報のうちの選択されたブロックに対応する部分の前記閲覧対象の文書の各情報であり、情報毎に選択可能な詳細情報が第２の表示領域に表示され、前記第２の表示領域がアクティブな状態で、前記第１の指示手段により指示を出すと、前記詳細情報が前記第１の表示領域に表示され、前記詳細情報のうちの選択されている情報にリンクされている文書の全体画像が第２の表示領域に表示され、
前記詳細情報が前記第１の表示領域に表示され、前記文書の全体画像が前記第２の表示領域に表示され、前記第１の表示領域がアクティブな状態で、前記第２の指示手段により指示を出すと、前記詳細情報が前記第２の表示領域に表示され、前記詳細情報に対応する全体情報が前記第１の表示領域に表示される
表示手段と
を有することを特徴とする閲覧システム。
【請求項２３】
閲覧対象の文書をブロック化し、ブロック毎に選択可能な全体情報と、前記全体情報のうちの選択されたブロックに対応する部分の前記閲覧対象の文書の各情報であり、情報毎に選択可能な詳細情報とのいずれかを第１の表示領域に表示し、
前記全体情報を前記第１の表示領域に表示している場合には、前記詳細情報を第２の表示領域に表示し、前記詳細情報を前記第１の表示領域に表示している場合には、前記詳細情報のうちの選択されている情報にリンクされている文書の全体画像を前記第２の表示領域に表示し、
前記詳細情報を前記第２の表示領域に表示しており、前記第２の表示領域がアクティブな状態で、第１の指示手段による指示を受けると、前記詳細情報を前記第１の表示領域に表示し、前記詳細情報のうちの選択されている情報にリンクされている文書の全体画像を前記第２の表示領域に表示し、
前記詳細情報を前記第１の表示領域に表示しており、前記第１の表示領域がアクティブな状態で、第２の指示手段による指示を受けると、前記詳細情報を前記第２の表示領域に表示し、前記詳細情報に対応する全体情報を前記第１の表示領域に表示する
ことを特徴とする表示制御方法。
【請求項２４】
前記第１の表示領域がアクティブな状態で、前記第１の指示手段による指示を受けると、前記第２の表示領域をアクティブにし、
前記第２の表示領域がアクティブな状態で、前記第２の指示手段による指示を受けると、前記第１の表示領域をアクティブにする
ことを特徴とする請求項２３に記載の表示制御方法。
【請求項２５】
前記第１の指示手段及び前記第２の指示手段が方向キーであることを特徴とする請求項２３又は請求項２４に記載の表示制御方法。
【請求項２６】
アクティブな状態の前記第１の表示領域に表示されている全体情報の各ブロック又は前記詳細情報の各情報、又は、アクティブな状態の前記第２の表示領域に表示されている前記詳細情報の各情報を、第３の指示手段又は第４の指示手段の指示により選択する制御を行う
ことを特徴とする請求項２３又は請求項２４に記載の表示制御方法。
【請求項２７】
前記第１の表示領域における、前記第３又は前記第４の指示手段の指示によるブロック又は情報の選択に連動させて、前記選択されたブロックに対応する詳細情報、又は、前記選択された情報に対応する文書の全体画像を、前記第２の表示領域に表示する
ことを特徴とする請求項２６に記載の表示制御方法。
【請求項２８】
前記第３の指示手段及び前記第４の指示手段が方向キーであることを特徴とする請求項２６又は請求項２７に記載の表示制御方法。
【請求項２９】
閲覧対象の文書情報が構造化文書であることを特徴とする請求項２３から請求項２８のいずれかに記載の表示制御方法。
【請求項３０】
閲覧対象の文書をブロック化し、ブロック毎に選択可能な全体情報を表示手段の第１の表示領域に表示し、前記全体情報のうちの選択されたブロックに対応する部分の前記閲覧対象の文書の各情報であり、情報毎に選択可能な詳細情報を前記表示手段の第２の表示領域に表示する制御と、前記詳細情報を前記第１の表示領域に表示し、前記詳細情報のうちの選択されている情報にリンクされている文書の全体画像を前記第２の表示領域に表示する制御とのいずれかを行い、
前記全体情報を前記第１の表示領域に表示し、前記詳細情報を前記第２の表示領域に表示しており、前記第２の表示領域がアクティブな状態で、第１の指示手段による指示を受けると、前記詳細情報を前記第１の表示領域に表示し、前記文書の全体画像を前記第２の表示領域に表示する制御を行い、
前記詳細情報を前記第１の表示領域に表示しており、前記文書の全体画像を前記第２の表示領域に表示しており、前記第１の表示領域がアクティブな状態で、第２の指示手段による指示を受けると、前記詳細情報を前記第２の表示領域に表示し、前記詳細情報に対応する全体情報を前記第１の表示領域に表示する制御を行う
ことを特徴とする表示制御方法。
【請求項３１】
前記第１の表示領域がアクティブな状態で、前記第１の指示手段による指示を受けると、前記第２の表示領域をアクティブにし、
前記第２の表示領域がアクティブな状態で、前記第２の指示手段による指示を受けると、前記第１の表示領域をアクティブにする
ことを特徴とする請求項３０に記載の表示制御方法。
【請求項３２】
前記第１の指示手段及び前記第２の指示手段が方向キーであることを特徴とする請求項３０又は請求項３１に記載の表示制御方法。
【請求項３３】
アクティブな状態の前記第１の表示領域に表示されている全体情報の各ブロック又は前記詳細情報の各情報、又は、アクティブな状態の前記第２の表示領域に表示されている前記詳細情報の各情報を、第３の指示手段又は第４の指示手段の指示により選択する制御を行うことを特徴とする請求項３０又は請求項３１に記載の表示制御方法。
【請求項３４】
前記第１の表示領域における、前記第３又は前記第４の指示手段の指示によるブロック又は情報の選択に連動させて、前記選択されたブロックに対応する詳細情報、又は、前記選択された情報に対応する文書の全体画像を、前記第２の表示領域に表示することを特徴とする請求項３３に記載の表示制御方法。
【請求項３５】
前記第３の指示手段及び前記第４の指示手段が方向キーであることを特徴とする請求項３３又は請求項３４に記載の表示制御方法。
【請求項３６】
閲覧対象の文書情報が構造化文書であることを特徴とする請求項３０から請求項３５のいずれかに記載の表示制御方法。
【請求項３７】
閲覧対象の文書をブロック化し、ブロック毎に選択可能な全体情報と、前記全体情報のうちの選択されたブロックに対応する部分の前記閲覧対象の文書の各情報であり、情報毎に選択可能な詳細情報とのいずれかを第１の表示領域に表示する処理と、
前記全体情報を前記第１の表示領域に表示している場合には、前記詳細情報を第２の表示領域に表示し、前記詳細情報を前記第１の表示領域に表示している場合には、前記詳細情報のうちの選択されている情報にリンクされている文書の全体画像を前記第２の表示領域に表示する処理と、
前記詳細情報を前記第２の表示領域に表示しており、前記第２の表示領域がアクティブな状態で、第１の指示手段による指示を受けると、前記詳細情報を前記第１の表示領域に表示し、前記詳細情報のうちの選択されている情報にリンクされている文書の全体画像を前記第２の表示領域に表示する処理と、
前記詳細情報を前記第１の表示領域に表示しており、前記第１の表示領域がアクティブな状態で、第２の指示手段による指示を受けると、前記詳細情報を前記第２の表示領域に表示し、前記詳細情報に対応する全体情報を前記第１の表示領域に表示する処理と
を情報処理装置に実行させることを特徴とするプログラム。
【請求項３８】
前記第１の表示領域がアクティブな状態で、前記第１の指示手段による指示を受けると、前記第２の表示領域をアクティブする処理と、
前記第２の表示領域がアクティブな状態で、前記第２の指示手段による指示を受けると、前記第１の表示領域をアクティブにする処理と
を情報処理装置に実行させることを特徴とする請求項３７に記載のプログラム。
【請求項３９】
アクティブな状態の前記第１の表示領域に表示されている全体情報の各ブロック又は前記詳細情報の各情報、又は、アクティブな状態の前記第２の表示領域に表示されている前記詳細情報の各情報を、第３の指示手段又は第４の指示手段の指示により選択する処理を情報処理装置に実行させることを特徴とする請求項３７又は請求項３８に記載のプログラム。
【請求項４０】
前記第１の表示領域における、前記第３又は前記第４の指示手段の指示によるブロック又は情報の選択に連動させて、前記選択されたブロックに対応する詳細情報、又は、前記選択された情報に対応する文書の全体画像を、前記第２の表示領域に表示する処理を情報処理装置に実行させることを特徴とする請求項３９に記載のプログラム。
【請求項４１】
閲覧対象の文書をブロック化し、ブロック毎に選択可能な全体情報を表示手段の第１の表示領域に表示し、前記全体情報のうちの選択されたブロックに対応する部分の前記閲覧対象の文書の各情報であり、情報毎に選択可能な詳細情報を前記表示手段の第２の表示領域に表示する制御と、前記詳細情報を前記第１の表示領域に表示し、前記詳細情報のうちの選択されている情報にリンクされている文書の全体画像を前記第２の表示領域に表示する制御とのいずれかを行う処理と、
前記全体情報を前記第１の表示領域に表示し、前記詳細情報を前記第２の表示領域に表示しており、前記第２の表示領域がアクティブな状態で、第１の指示手段による指示を受けると、前記詳細情報を前記第１の表示領域に表示し、前記文書の全体画像を前記第２の表示領域に表示する処理と、
前記詳細情報を前記第１の表示領域に表示しており、前記文書の全体画像を前記第２の表示領域に表示しており、前記第１の表示領域がアクティブな状態で、第２の指示手段による指示を受けると、前記詳細情報を前記第２の表示領域に表示し、前記詳細情報に対応する全体情報を前記第１の表示領域に表示する処理と
を情報処理装置に実行させることを特徴とするプログラム。
【請求項４２】
閲覧対象の文書をブロック化し、ブロック毎に選択可能な全体情報を生成する処理と、
前記全体情報のうちの選択されたブロックに対応する部分の前記閲覧対象の文書の各情報であり、情報毎に選択可能な詳細情報を生成する処理と、
前記詳細情報のうちの選択されている情報にリンクされている文書の全体画像を生成する処理と、
前記全体情報を表示手段の第１の表示領域に表示し、前記詳細情報を前記表示手段の第２の表示領域に表示する制御と、前記詳細情報を前記第１の表示領域に表示し、前記文書の全体画像を前記第２の表示領域に表示する制御とのいずれかを行う処理と、
前記全体情報を前記第１の表示領域に表示し、前記詳細情報を前記第２の表示領域に表示しており、前記第２の表示領域がアクティブな状態で、第１の指示手段による指示を受けると、前記詳細情報を前記第１の表示領域に表示し、前記文書の全体画像を前記第２の表示領域に表示する処理と、
前記詳細情報を前記第１の表示領域に表示しており、前記文書の全体画像を前記第２の表示領域に表示しており、前記第１の表示領域がアクティブな状態で、第２の指示手段による指示を受けると、前記詳細情報を前記第２の表示領域に表示し、前記詳細情報に対応する全体情報を前記第１の表示領域に表示する処理と
を情報処理装置に実行させることを特徴とするプログラム。
【発明の詳細な説明】
【技術分野】
【０００１】
本発明はＷｅｂ等の文書を閲覧する為の閲覧の技術に関し、特に、文書作成者の意図を反映した表示をしつつ、直感的に、かつ、少ない操作回数で、目的とする情報を閲覧することができる閲覧システムに関する。
【背景技術】
【０００２】
インターネットでは、各種サービスの提供を行う多数のウェブサイトが存在している。例えば、インターネットを利用する際の入り口としてのポータルサイトや、各種サービスのウェブページ情報を表わしたウェブサイトが代表的なものである。このようなウェブサイトを利用するために、従来では通信機能を持ったパーソナルコンピュータ等の情報処理装置をインターネットに接続し、ポインティングデバイスとしてのマウスやキーボード等の入出力機器を駆使してウェブブラウザにより、所望の情報を閲覧していた。
【０００３】
一方で、情報を閲覧する機器は、当初、マウスやキーボード等を備えたパーソナルコンピュータが中心であったが、近年では、携帯電話やＰＤＡのような表示画面サイズが小さい携帯端末まで拡大している。しかし、表示画面サイズが小さい場合、画面の表示可能な横幅に閲覧文書が収まらず、閲覧時に横方向への頻繁なスクロール操作を必要とした。そこで、このような表示画面サイズが小さい携帯端末でも、文書の閲覧が容易にできるような技術が提供されている（例えば、非特許文献１、非特許文献２）。
【０００４】
非特許文献１、及び非特許文献２に開示された技術は、ＨＴＭＬ文書を表示する際、表の幅や、画像サイズを変更し、必要に応じて段組のレイアウトを分解し、段組をすべて縦につなぎなおし、再構築することによって、表示可能な横幅に収まるようにしている。これにより、縦長のレイアウトになるため、閲覧時に横方向へのスクロール操作を回避することができる。
【０００５】
【非特許文献１】http://www.jp.opera.com/products/mobile/smallscreen/
【非特許文献２】http://www.access.co.jp/products/nf.html
【発明の開示】
【発明が解決しようとする課題】
【０００６】
しかしながら、従来の技術は以下の課題があった。
【０００７】
従来のウェブブラウザは、マウスのようにダイレクトポインティングが可能なデバイスで操作することを前提としており、キーボードのようにキーのみで閲覧操作をする場合、煩雑なキー操作を必要とする。特に、マウスのようにダイレクトポインティングが可能なデバイスを持たず、操作キーの少ない携帯電話や、リモコンで操作されるようなテレビ等の家電機器でも、今後情報の閲覧が盛んに行われることを想定すると、従来のウェブブラウザでは、今まで以上に閲覧操作が煩雑となることは明らかである。
【０００８】
また、非特許文献１、及び非特許文献２に開示された技術は、文書の作成者の意図と異なるレイアウト構成で表示されてしまい、文書作成者の意図が伝わらない恐れがあった。たとえば、段組により、左にリンク集、中央に本文、右に広告といった視覚的なレイアウト構成で作成者が用意したＨＴＭＬ文書を、上記の技術を用いて表示すると、左から順番につないで、縦長の一列のレイアウトに構成しなおして表示してしまう。このため、本文までたどり着くまでに、かなりの縦スクロールを行う必要があり、目的の箇所までにたどり着くまでに相当の時間を要するばかりでなく、どこからが本文なのか判りにくいといった問題があった。
【０００９】
そこで、本発明は上記課題に鑑みて発明されたものであって、その目的は、閲覧文書の作成者の意図を反映したレイアウト構成で、目的の検索対象の情報にすばやく移動できる閲覧の技術を提供することにある。
【００１０】
また、本発明の目的は、マウスのようにダイレクトポインティングが可能なデバイスを必要とすることなく、直感的で少ない操作で閲覧操作が可能な閲覧の技術を提供することにある。
【課題を解決するための手段】
【００１１】
上記課題を解決する本発明は、閲覧対象の文書をブロック化し、ブロック毎に選択可能な全体情報と、前記全体情報のうちの選択されたブロックに対応する部分の前記閲覧対象の文書の各情報であり、情報毎に選択可能な詳細情報とのいずれかを第１の表示領域に表示する制御を行い、前記全体情報を前記第１の表示領域に表示している場合には、前記詳細情報を第２の表示領域に表示し、前記詳細情報を前記第１の表示領域に表示している場合には、前記詳細情報のうちの選択されている情報にリンクされている文書の全体画像を前記第２の表示領域に表示する制御を行い、前記詳細情報を前記第２の表示領域に表示しており、前記第２の表示領域がアクティブな状態で、第１の指示手段による指示を受けると、前記詳細情報を前記第１の表示領域に表示し、前記詳細情報のうちの選択されている情報にリンクされている文書の全体画像を前記第２の表示領域に表示する制御を行い、前記詳細情報を前記第１の表示領域に表示しており、前記第１の表示領域がアクティブな状態で、第２の指示手段による指示を受けると、前記詳細情報を前記第２の表示領域に表示し、前記詳細情報に対応する全体情報を前記第１の表示領域に表示する制御を行う表示制御手段を有する情報処理装置である。
【００１２】
上記課題を解決する本発明は、閲覧対象の文書をブロック化し、ブロック毎に選択可能な全体情報を生成する手段と、前記全体情報のうちの選択されたブロックに対応する部分の前記閲覧対象の文書の各情報であり、情報毎に選択可能な詳細情報を生成する手段と、
前記詳細情報のうちの選択されている情報にリンクされている文書の全体画像を生成する手段と、前記全体情報を表示手段の第１の表示領域に表示し、前記詳細情報を前記表示手段の第２の表示領域に表示する制御と、前記詳細情報を前記第１の表示領域に表示し、前記文書の全体画像を前記第２の表示領域に表示する制御とのいずれかを行い、前記全体情報を前記第１の表示領域に表示し、前記詳細情報を前記第２の表示領域に表示しており、前記第２の表示領域がアクティブな状態で、第１の指示手段による指示を受けると、前記詳細情報を前記第１の表示領域に表示し、前記文書の全体画像を前記第２の表示領域に表示する制御を行い、前記詳細情報を前記第１の表示領域に表示しており、前記文書の全体画像を前記第２の表示領域に表示しており、前記第１の表示領域がアクティブな状態で、第２の指示手段による指示を受けると、前記詳細情報を前記第２の表示領域に表示し、前記詳細情報に対応する全体情報を前記第１の表示領域に表示する制御を行う表示制御手段とを有する情報処理装置である。
【００１３】
上記課題を解決する本発明は、第１の指示手段と、第２の指示手段と、表示手段と、閲覧対象の文書をブロック化し、ブロック毎に選択可能な全体情報を生成する手段と、前記全体情報のうちの選択されたブロックに対応する部分の前記閲覧対象の文書の各情報であり、情報毎に選択可能な詳細情報を生成する手段と、前記詳細情報のうちの選択されている情報にリンクされている文書の全体画像を生成する手段と、前記全体情報を前記表示手段の第１の表示領域に表示し、前記詳細情報を前記表示手段の第２の表示領域に表示する制御と、前記詳細情報を前記第１の表示領域に表示し、前記文書の全体画像を前記第２の表示領域に表示する制御とのいずれかを行い、前記全体情報を前記第１の表示領域に表示し、前記詳細情報を前記第２の表示領域に表示しており、前記第２の表示領域がアクティブな状態で、前記第１の指示手段による指示を受けると、前記詳細情報を前記第１の表示領域に表示し、前記文書の全体画像を前記第２の表示領域に表示する制御を行い、前記詳細情報を前記第１の表示領域に表示しており、前記文書の全体画像を前記第２の表示領域に表示しており、前記第１の表示領域がアクティブな状態で、前記第２の指示手段による指示を受けると、前記詳細情報を前記第２の表示領域に表示し、前記詳細情報に対応する全体情報を前記第１の表示領域に表示する制御を行う表示制御手段とを有することを特徴とする閲覧システムである。
【００１４】
上記課題を解決する本発明は、第１の指示手段と、第２の指示手段と、閲覧対象の文書がブロック化され、ブロック毎に選択可能な全体情報が第１の表示領域に表示され、前記全体情報のうちの選択されたブロックに対応する部分の前記閲覧対象の文書の各情報であり、情報毎に選択可能な詳細情報が第２の表示領域に表示され、前記第２の表示領域がアクティブな状態で、前記第１の指示手段により指示を出すと、前記詳細情報が前記第１の表示領域に表示され、前記詳細情報のうちの選択されている情報にリンクされている文書の全体画像が第２の表示領域に表示され、前記詳細情報が前記第１の表示領域に表示され、前記文書の全体画像が前記第２の表示領域に表示され、前記第１の表示領域がアクティブな状態で、前記第２の指示手段により指示を出すと、前記詳細情報が前記第２の表示領域に表示され、前記詳細情報に対応する全体情報が前記第１の表示領域に表示される表示手段とを有することを特徴とする閲覧システムである。
【００１５】
上記課題を解決する本発明は、閲覧対象の文書をブロック化し、ブロック毎に選択可能な全体情報と、前記全体情報のうちの選択されたブロックに対応する部分の前記閲覧対象の文書の各情報であり、情報毎に選択可能な詳細情報とのいずれかを第１の表示領域に表示し、前記全体情報を前記第１の表示領域に表示している場合には、前記詳細情報を第２の表示領域に表示し、前記詳細情報を前記第１の表示領域に表示している場合には、前記詳細情報のうちの選択されている情報にリンクされている文書の全体画像を前記第２の表示領域に表示し、前記詳細情報を前記第２の表示領域に表示しており、前記第２の表示領域がアクティブな状態で、第１の指示手段による指示を受けると、前記詳細情報を前記第１の表示領域に表示し、前記詳細情報のうちの選択されている情報にリンクされている文書の全体画像を前記第２の表示領域に表示し、前記詳細情報を前記第１の表示領域に表示しており、前記第１の表示領域がアクティブな状態で、第２の指示手段による指示を受けると、前記詳細情報を前記第２の表示領域に表示し、前記詳細情報に対応する全体情報を前記第１の表示領域に表示することを特徴とする表示制御方法である。
【００１６】
上記課題を解決する本発明は、閲覧対象の文書をブロック化し、ブロック毎に選択可能な全体情報を表示手段の第１の表示領域に表示し、前記全体情報のうちの選択されたブロックに対応する部分の前記閲覧対象の文書の各情報であり、情報毎に選択可能な詳細情報を前記表示手段の第２の表示領域に表示する制御と、前記詳細情報を前記第１の表示領域に表示し、前記詳細情報のうちの選択されている情報にリンクされている文書の全体画像を前記第２の表示領域に表示する制御とのいずれかを行い、前記全体情報を前記第１の表示領域に表示し、前記詳細情報を前記第２の表示領域に表示しており、前記第２の表示領域がアクティブな状態で、第１の指示手段による指示を受けると、前記詳細情報を前記第１の表示領域に表示し、前記文書の全体画像を前記第２の表示領域に表示する制御を行い、前記詳細情報を前記第１の表示領域に表示しており、前記文書の全体画像を前記第２の表示領域に表示しており、前記第１の表示領域がアクティブな状態で、第２の指示手段による指示を受けると、前記詳細情報を前記第２の表示領域に表示し、前記詳細情報に対応する全体情報を前記第１の表示領域に表示する制御を行うことを特徴とする表示制御方法である。
【００１７】
上記課題を解決する本発明は、閲覧対象の文書をブロック化し、ブロック毎に選択可能な全体情報と、前記全体情報のうちの選択されたブロックに対応する部分の前記閲覧対象の文書の各情報であり、情報毎に選択可能な詳細情報とのいずれかを第１の表示領域に表示する処理と、前記全体情報を前記第１の表示領域に表示している場合には、前記詳細情報を第２の表示領域に表示し、前記詳細情報を前記第１の表示領域に表示している場合には、前記詳細情報のうちの選択されている情報にリンクされている文書の全体画像を前記第２の表示領域に表示する処理と、前記詳細情報を前記第２の表示領域に表示しており、前記第２の表示領域がアクティブな状態で、第１の指示手段による指示を受けると、前記詳細情報を前記第１の表示領域に表示し、前記詳細情報のうちの選択されている情報にリンクされている文書の全体画像を前記第２の表示領域に表示する処理と、前記詳細情報を前記第１の表示領域に表示しており、前記第１の表示領域がアクティブな状態で、第２の指示手段による指示を受けると、前記詳細情報を前記第２の表示領域に表示し、前記詳細情報に対応する全体情報を前記第１の表示領域に表示する処理とを情報処理装置に実行させることを特徴とするプログラムである。
【００１８】
上記課題を解決する本発明は、閲覧対象の文書をブロック化し、ブロック毎に選択可能な全体情報を表示手段の第１の表示領域に表示し、前記全体情報のうちの選択されたブロックに対応する部分の前記閲覧対象の文書の各情報であり、情報毎に選択可能な詳細情報を前記表示手段の第２の表示領域に表示する制御と、前記詳細情報を前記第１の表示領域に表示し、前記詳細情報のうちの選択されている情報にリンクされている文書の全体画像を前記第２の表示領域に表示する制御とのいずれかを行う処理と、前記全体情報を前記第１の表示領域に表示し、前記詳細情報を前記第２の表示領域に表示しており、前記第２の表示領域がアクティブな状態で、第１の指示手段による指示を受けると、前記詳細情報を前記第１の表示領域に表示し、前記文書の全体画像を前記第２の表示領域に表示する処理と、前記詳細情報を前記第１の表示領域に表示しており、前記文書の全体画像を前記第２の表示領域に表示しており、前記第１の表示領域がアクティブな状態で、第２の指示手段による指示を受けると、前記詳細情報を前記第２の表示領域に表示し、前記詳細情報に対応する全体情報を前記第１の表示領域に表示する処理とを情報処理装置に実行させることを特徴とするプログラムである。
【００１９】
上記課題を解決する本発明は、閲覧対象の文書をブロック化し、ブロック毎に選択可能な全体情報を生成する処理と、前記全体情報のうちの選択されたブロックに対応する部分の前記閲覧対象の文書の各情報であり、情報毎に選択可能な詳細情報を生成する処理と、前記詳細情報のうちの選択されている情報にリンクされている文書の全体画像を生成する処理と、前記全体情報を表示手段の第１の表示領域に表示し、前記詳細情報を前記表示手段の第２の表示領域に表示する制御と、前記詳細情報を前記第１の表示領域に表示し、前記文書の全体画像を前記第２の表示領域に表示する制御とのいずれかを行う処理と、前記全体情報を前記第１の表示領域に表示し、前記詳細情報を前記第２の表示領域に表示しており、前記第２の表示領域がアクティブな状態で、第１の指示手段による指示を受けると、前記詳細情報を前記第１の表示領域に表示し、前記文書の全体画像を前記第２の表示領域に表示する処理と、前記詳細情報を前記第１の表示領域に表示しており、前記文書の全体画像を前記第２の表示領域に表示しており、前記第１の表示領域がアクティブな状態で、第２の指示手段による指示を受けると、前記詳細情報を前記第２の表示領域に表示し、前記詳細情報に対応する全体情報を前記第１の表示領域に表示する処理とを情報処理装置に実行させることを特徴とするプログラムである。
【００５５】
本発明は、図２に示される通常表示モードと、図３に示されるザッピング表示モードとで閲覧する文書を表示する。通常表示モードは、閲覧対象のブロック化されたＨＴＭＬ文書の全体が表示される全体表示画面（第１の表示領域）と、ブロック化されたＨＴＭＬ文書の詳細が表示される詳細表示画面（第２の表示領域）とが表示されるモードである。ザッピング表示モードは、閲覧対象のＨＴＭＬ文書の詳細が表示される詳細画面（第１の表示領域）と、そのＨＴＭＬ文書の選択された情報のリンク先のサムネイル画像が表示されるサムネイル表示画面（第２の表示領域）とが表示されるモードである。
【００５６】
モードの切り替え、各モードにおけるアクティブな表示領域の切り替えは、視覚的に第１の表示領域と第２の表示領域とが区別できる指示手段によって行われる。例えば、ユーザが目的とする情報に移動する方向、すなわち、ユーザの検索が進んでいく進行方向に第２の表示領域を対応付け、あわせて、右方向キーを対応付ける。一方、ユーザが再び元の情報に戻る方向、すなわち、ユーザの検索の戻り方向に第１の表示領域を対応付け、あわせて、左方向キーを対応付ける。
【００５７】
このようにして、ふたつの指示手段により、閲覧文書の全体表示から詳細表示、詳細表示からその詳細にリンクした全体表示へとスムーズに移行することができる。
【００５８】
更に、アクティブな状態での各表示領域における情報の選択についても、上下方向だけの移動を指示する指示手段で行うことが可能となる。
【００５９】
尚、指示手段の例としては、例えば、上下左右の方向キーがある。
【発明の効果】
【００６０】
本発明は、閲覧文書の全体を表示する領域と、閲覧文書の詳細を表示する領域とを設け、これらを同時に表示することにより、画面サイズが小さい機器であっても、閲覧文書の作成者の意図を反映した文書表示をすることができると共に、閲覧者にとっても、文書の容易な閲覧・検索ができるという優れた効果を奏する。
【００６１】
また、本発明は、閲覧文書の検索、閲覧文書中の情報の選択を少ない指示手段に集約することにより、キーが少ないリモコン操作が主流なテレビ等の家電や、マウスのようにダイレクトポインティングを装備することができない機器でも、直感的で少ない操作で文書の閲覧・検索ができるという優れた効果を奏する。
【発明を実施するための最良の形態】
【００６２】
本発明の第１の実施の形態を説明する。
【００６３】
第１の実施の形態では、本発明を、インターネット等のネットワークに接続可能なセットトップボックスに適用し、リモコンにより閲覧操作を行う例について説明する。
【００６４】
図１は第１の実施の形態の概要図である。
【００６５】
図１中、１は情報処理装置としてのセットトップボックスであり、２は情報処理装置１からの映像信号を入力として映像が表示されるテレビ等の表示装置であり、３はセットトップボックス１を操作する指示手段としてのリモコンであり、４は閲覧文書が格納されているＷＷＷサーバであり、５はセットトップボックス１とＷＷＷサーバ４とが接続されるインターネット等のネットワークである。
【００６６】
セットトップボックス１は、入力情報解釈部１０と、映像信号生成部１１と、出力画像生成部１２と、縮小画像生成部１３と、レイアウト解析部１４と、詳細画像生成部１５と、ザッピング画像生成部１６と、レンダリングエンジン部１７と、ネットワーク通信部１８と、キャッシュデータ格納部１９とを備える。
【００６７】
リモコン３は、セットトップボックス１での文書閲覧の操作を行うための指示手段であり、本実施の形態では、リモコンの上下左右の四つの方向キーにより閲覧の操作が行えるようにしている。
【００６８】
入力情報解釈部１０は、リモコン３の上下左右の四つの方向キーの操作の信号を受け、いずれの方向キーが押下されたかを検出し、その検出結果を出力画像生成部１２に出力する。
【００６９】
レンダリングエンジン部１７は、ネットワーク５を介して、ＨＴＭＬのデータを読み込んで、データに付けられた条件や特定のルールにしたがって、適切な形に表現しなおすものである。
【００７０】
レイアウト解析部１４は、レンダリングエンジン部１７の出力を受け、レイアウトを解析し、文書をブロック化する。ブロック化の方法であるが、予め決定した行数毎にブロック化しても良いし、他の手法を用いても良い。
【００７１】
縮小画像生成部１３は、レイアウト解析部１４からのブロック化された文書の縮小画像を生成する。
【００７２】
詳細画像生成部１５は、レンダリングエンジン部１７の出力を受け、ＨＴＭＬ文書の詳細情報を横スクロールが発生しないように、詳細画像が表示される画面のサイズに合致させる。横スクロールが発生しないような処理であるが、例えば、画面サイズに合わせた折り返し処理等がある。
【００７３】
ザッピング画像生成部１６は、レンダリングエンジン部１７の出力をキャプチャし、サムネイル画像を生成する。尚、生成したザッピング画像は、処理の高速化を図る為、キャッシュデータ格納部１９にキャッシュされる。
【００７４】
出力画像生成部１２は、縮小画像生成部１３からの縮小画像と、詳細画像生成部１５からの詳細情報と、ザッピング画像生成部１６からのサムネイル画像とから、入力情報解釈部１０からの指示基づいてそれらのうち、２つの画像又は情報を２つの表示領域に配置して出力する。
【００７５】
映像信号生成部１１は、出力画像生成部１２の出力を受け、表示装置２の表示に適した信号に変換して出力する。
【００７６】
次に、本実施の形態におけるセットトップボックス１により、表示装置２に表示される表示モードについて説明する。
【００７７】
図２、図３は本実施の形態の表示モードを示す図であり、図２は通常表示モードを示し、図３はザッピング表示モードを示している。
【００７８】
図２に示される通常表示モードは、ブロック化されたＨＴＭＬ文書の全体が表示される全体表示画面（第１の表示領域）と、ＨＴＭＬ文書のうち選択されたブロック内の詳細情報が表示される詳細表示画面（第２の表示領域）とが表示されるモードである。
【００７９】
また、図３に示されるザッピング表示モードは、閲覧対象のＨＴＭＬ文書の詳細が表示される詳細画面（第１の表示領域）と、そのＨＴＭＬ文書うちの選択された情報のリンク先のサムネイル画像が表示されるサムネイル表示画面（第２の表示領域）とが表示されるモードである。
【００８０】
各モードにおけるアクティブな表示領域の切り替えは、リモコン３の左右の方向キーを押下することにより行われる。具体的には、各モードにおける第１の表示領域と左方向キーとが対応付けられ、第２の表示領域と右方向キーとが対応付けられている。すなわち、ユーザが目的とする閲覧情報に向かって情報をたどって進んで行く方向に第２の表示領域が配置されており、この第２の表示領域に右方向キーが対応付けられ、そして、ユーザが閲覧した文書に戻る方向に第１の表示領域が配置されており、この第１の表示領域に左方向キーが対応付けられているのである。そして、アクティブな表示領域における情報の選択は、上下方向キーを用いて行われる。すなわち、アクティブな表示領域において、上方向キー又は下方向キーを押下することにより、選択対象の情報が反転していき、領域内の情報が選択できる。
【００８１】
例えば、図１０に示すように、今閲覧している情報から欲しい情報まで情報を閲覧する過程において、今閲覧している情報から（１）の情報へと移動する場合、目的とする閲覧情報に向かって情報をたどって進んで行く方向に対応付けられた右方向キーを押下することにより進む。更に、（１）の情報から（２）の情報へと移動する場合、右方向キーを押下することにより進む。また、（２）の情報がユーザの欲しい情報ではない場合、目的とする閲覧情報に向かって情報をたどって進んで行く方向の戻り方向に対応付けられた左右の方向キーを押下することにより、元の情報に戻ることができる。更に、（１）の情報から、（４）の異なる情報に進む場合は、（１）の情報の閲覧状態で、例えば、下方向キーを押下することにより、情報を次から次へと選択することができ、選択した情報に対応する（４）の情報に、右方向キーを押下することにより進むことができ、そして、更に右方向キーを押下することにより、欲しい情報にたどりつくことができる。このように、目的とする閲覧情報に向かって情報を得るために必要な指示手段を集約したことが特徴である。
【００８２】
例えば、閲覧者は閲覧システムを起動すると、予め登録されているポータルサイトが表示される。この時、ポータルサイトのトップページはレイアウト解析部１４により分析されてブロック化され、ブロック化されたトップページが全体表示画面（第１の表示領域）に表示される。また、詳細表示画面（第２の表示領域）には、ブロック化されたトップページの１番上のブロックの詳細情報が見易い文字サイズで横スクロールを必要としないレイアウトに再構築されて表示される。そして、起動当初は、全体表示画面（第１の表示領域）がアクティブな画面となり、ブロックを選択する上下の方向キーの操作により、全体表示画面（第１の表示領域）内のブロックが選択できる。
【００８３】
アクティブな全体表示画面（第１の表示領域）から詳細表示画面（第２の表示領域）への切り替えは、詳細表示画面（第２の表示領域）に対応付けられた右方向キーを押下することにより、詳細表示画面（第２の表示領域）がアクティブとなり、詳細表示画面（第２の表示領域）に表示されている情報が選択可能となるのである。
【００８４】
更に、アクティブな詳細表示画面（第２の表示領域）に表示された詳細情報のうち、更に検索を進行させたい場合には、検索を進行するキーである右方向キーを押下することにより、図３に示されるザッピング表示モードに切り替わり、詳細情報が表示される詳細表示画面が第１の表示領域に表示され、それら詳細情報のうち選択された情報のリンク先の閲覧文書全体のサムネイル画像がザッピング画像生成部１６により生成されて第２の表示領域に表示され、サムネイル画像が表示されている第２の表示領域がアクティブとなる。
【００８５】
閲覧者が、閲覧した元の文書に戻る場合は、左方向キーを押下することにより、第１の表示領域の画面をアクティブにすることができる。すなわち、通常表示モードにおいて、第２の表示領域に表示されている詳細表示画面がアクティブになっている場合、左方向キーを押下することにより、第１の表示領域の画面をアクティブにすることができる。また、ザッピング表示モードにおいて、サムネイル表示画面がアクティブになっている場合、左方向キーを押下することにより、通常表示モードに切り替わり、第２の表示領域には詳細画面が、第１の表示領域には全体表示画面が表示される。
【００８６】
このように、本発明は４つの左右上下の方向キーによって、閲覧を行うことができることを特徴とする。
【００８７】
このような表示の動作を、フローチャートを用いて説明する。図１１は表示動作のフローチャートである。
【００８８】
まず、閲覧システムを起動すると（Ｓｔｅｐ  １００）、ネットワーク５を介して閲覧文書を取得する（Ｓｔｅｐ  １０１）。
【００８９】
取得した閲覧文書は、レンダリングエンジン部１７により、データに付けられた条件や特定のルールにしたがって、適切な形に表現される（Ｓｔｅｐ  １０２）。そして、レイアウト解析されてブロック化され（Ｓｔｅｐ  １０３）、縮小画像と、詳細画像とが生成される（Ｓｔｅｐ  １０４，１０５）。また、レンダリングエンジン部１７の出力をキャプチャすることにより、サムネイル画像が生成される（Ｓｔｅｐ  １０６）。これらの画像は、出力画像生成部１２に入力される。
【００９０】
４つの方向キーのいずれかの方向キーの押下は入力情報解釈部１０により検出され（Ｓｔｅｐ  １０７）、この検出の結果、方向キーにあった画像が出力画像生成部１２から出力される（Ｓｔｅｐ  １０８）。そして、表示装置２には閲覧文書が第１の表示領域及び第２の表示領域に表示される（Ｓｔｅｐ  １０９）。
【００９１】
続いて、具体的な動作を、図４の遷移図を用いて説明する。
【００９２】
まず、状態Ｂ−２は、予め登録されているポータルサイトが表示されており、ポータルサイトのトップページはレイアウト解析部１４により分析されてブロック化され、ブロック化されたトップページが全体表示画面（第１の表示領域）に表示されている。また、詳細表示画面（第２の表示領域）には、ブロック化されたトップページの２番目のブロックの詳細情報が見易い文字サイズで横スクロールを必要としないレイアウトに再構築されて表示されている。尚、アクティブな画面は、詳細表示画面（第２の表示領域）である。
【００９３】
状態Ｂ−２において、上方向キーを１回押下することにより、現在の詳細情報のひとつ上の詳細情報を選択することができる（状態Ｂ−１）。そして、この状態より、下方向キーを１回押下することにより、状態Ｂ−２に戻る。
【００９４】
また、状態Ｂ−２において、下方向キーを１回押下することにより、現在の詳細情報のひとつ下の詳細情報を選択することができる（状態Ｂ−３）。尚、本実施の形態では、横スクロールが発生しないように詳細情報がレイアウトされているので、選択された情報は状態Ｂ−２で選択されていた情報の横にある情報である。そして、この状態より、上方向キーを１回押下することにより、状態Ｂ−２に戻る。
【００９５】
次に、状態Ｂ−２において、右方向キーを１回押下することにより、表示モードが通常表示モードからザッピング表示モードに切り替わり、詳細情報は第１の表示領域に切り替わって表示され、選択されている情報のリンク先のサムネイル画像が第２の表示領域に表示される（状態Ｃ−２）。
【００９６】
状態Ｃ−２において、上方向キーを１回押下することにより、詳細表示画面で選択されている情報の上の情報のリンク先のサムネイル画像が第２の表示領域に表示される（状態Ｃ−１）。また、状態Ｃ−１において、下方向キーを１回押下することにより、状態Ｃ−２に戻る。
【００９７】
状態Ｃ−２において、下方向キーを１回押下することにより、詳細表示画面で選択されている情報の下の情報のリンク先のサムネイル画像が第２の表示領域に表示される（状態Ｃ−３）。また、状態Ｃ−３において、上方向キーを１回押下することにより、状態Ｃ−２に戻る。
【００９８】
状態Ｃ−２において、左方向キーを１回押下することにより、表示モードがザッピング表示モードから通常表示モードに切り替わり、詳細情報は第２の表示領域に切り替わって表示され、選択されている詳細情報の全体情報が第１の表示領域に表示される。すなわち、状態Ｂ−２に戻る。
【００９９】
次に、状態Ｂ−２において、左方向キーを１回押下することにより、アクティブな画面（領域）が詳細表示画面（第２の表示領域）から全体表示画面（第１の表示領域）に切り替わる（状態Ａ−２）。これにより、全体表示画面（第１の表示領域）に表示されている全体表示の各ブロックが選択可能となる。
【０１００】
状態Ａ−２において、上方向キーを１回押下することにより、上のブロックを選択することができ、同時に詳細表示画面（第２の表示領域）には選択したブロックの詳細情報が表示される（状態Ａ−１）。また、状態Ａ−１において、下方向キーを１回押下することにより、状態Ａ−２に戻る。
【０１０１】
状態Ａ−２において、下方向キーを１回押下することにより、下のブロックを選択することができ、同時に詳細表示画面（第２の表示領域）には選択したブロックの詳細情報が表示される（状態Ａ−３）。また、状態Ａ−３において、上方向キーを１回押下することにより、状態Ａ−２に戻ることができる。
【０１０２】
このように、本実施の形態では、閲覧の操作を４つの左右上下の方向キーに集約し、更に、これらの方向キーを閲覧情報が表示される領域、及び情報の選択方向に対応付けているので、操作と画面移動が直感的に容易にできる。
【０１０３】
また、閲覧文書を複数のブロックに分割し、ブロック単位で閲覧箇所を選択できるようにしているとともに、選択したブロックの詳細情報を、閲覧文書の全体表示と同時に表示しているので、閲覧者は、作成者の意図した閲覧文書の正しいレイアウトとその詳細情報を同時にみることができ、更に、詳細情報を横スクロールのない見易いレイアウトで情報を閲覧することができる。
【０１０４】
尚、本実施の形態では、閲覧文書としてＷｅｂ(ＨＴＭＬ)を例にしたが、これに限ることなく、電子書籍のスタイルシートや、ＤＴＤを用いることで表示可能なＸＭＬ文書でも良い。
【０１０５】
また、本実施の形態では、指示手段として、リモコンを用いてその４つの方向キーを例にしたが、これに限ることなく、キーボードの方向キーや、ボタン、音声認識による音声指示等のように、４つの方向を特定できるものならば良い。
【０１０６】
更に、セットトップボックスの出力画像生成部１２と、縮小画像生成部１３と、レイアウト解析部１４と、詳細画像生成部１５と、ザッピング画像生成部１６と、レンダリングエンジン部１７とを、ＣＰＵで構成し、プログラムによって動作させるように構成することも可能である。
【０１０７】
第２の実施の形態を説明する。
【０１０８】
第２の実施の形態では、閲覧システムの起動時に表示されるトップページ等を、予め複数登録しておくことができる機能を第１の実施の形態に追加したものである。すなわち、Ｗｅｂブラウザのお気に入りの機能に相当するものを加えたものである。
【０１０９】
図５、６は第２の実施の形態における閲覧システムの画面表示の例を示した図である。図５では、通常表示モード時において、全体表示画面（第１の表示領域）の左横に、予め登録したポータルサイトのトップページを示すタブが付されている。タブへの遷移は、図６に示すように、全体表示画面（第１の表示領域）がアクティブな状態時に、左方向キーを押下することにより、タブがフォーカス（アクティブ）されて、各タブの選択が可能となる。各タブの選択は、タブがフォーカス（アクティブ）されている状態において、上下方向キーにより、希望のタブの選択を行う。希望のタブの選択を行うことにより、そのタブに対応したポータルサイトのトップページが全体表示画面（第１の表示領域）に表示され、全体表示のブロック部分の詳細情報が詳細表示画面（第２の表示領域）に表示される。
【０１１０】
尚、図７に示す如く、タブはポータルサイトのトップページだけでなく、セットトップボックスのメニューに連携するようにしても良い。
【０１１１】
また、新たなタブの追加の方法であるが、図８に示すように、ザッピング表示モードにおいて、サムネイル表示画面がアクティブの状態において、左方向キーを押下することにより、図９に示すように、詳細表示画面でフォーカスされている情報に対してタブを追加するコンテキストメニューが表示され、「新しいタブを開く」を選択することにより、その情報のリンク先の情報、すなわち、サムネイル表示画面に表示されているリンク先がタブに追加される。
【図面の簡単な説明】
【０１１２】
【図１】図１は第１の実施の形態の概略図である。
【図２】図２は通常表示モードを示した図である。
【図３】図３はザッピング表示モードを示した図である。
【図４】図４は本実施の形態の動作を説明する為の図である。
【図５】図５は第２の実施の形態における閲覧システムの画面表示の例を示した図である。
【図６】図６は第２の実施の形態における閲覧システムの画面表示の例を示した図である。
【図７】図７は第２の実施の形態における閲覧システムの画面表示の例を示した図である。
【図８】図８は第２の実施の形態における閲覧システムの画面表示の例を示した図である。
【図９】図９は第２の実施の形態における閲覧システムの画面表示の例を示した図である。
【図１０】図１０は実施の形態を説明する為の図である。
【図１１】図１１は表示動作のフローチャートである。
【符号の説明】
【０１１３】
１        セットトップボックス
２        表示装置
３        リモコン
４        ＷＷＷサーバ
５        ネットワーク
【図１】
0004232045.tif 000002
【図２】
0004232045.tif 000003
【図３】
0004232045.tif 000004
【図４】
0004232045.tif 000005
【図５】
0004232045.tif 000006
【図６】
0004232045.tif 000007
【図７】
0004232045.tif 000008
【図８】
0004232045.tif 000009
【図９】
0004232045.tif 000010
【図１０】
0004232045.tif 000011
【図１１】
0004232045.tif 000012